(57)【要約】【課題】小型・軽量化し、アンテナ断線等の不具合発生を解決した、且つ、安価に生産可能なＲＦＩＤ用アンテナおよびその製造方法を提供する。【解決手段】送受信アンテナとＩＣチップから成るＲＦＩＤモジュールを具備し、非接触でデータの送受信を行うＲＦＩＤであって、印刷あるいは蒸着またはエッチング方式で導電性物質による回路２ａ，２ｂ，２ｃが形成された樹脂シート１ａ，１ｂ，１ｃが、電気的に複数接続され、前記導電性物質による回路２ａ，２ｂ，２ｃが渦巻き状であり、前記樹脂シート１ａ，１ｂ，１ｃが複数枚配置され、前記導電性物質による回路２ａ，２ｂ，２ｃの渦巻きが、同じ向きになるように重畳積層されたＲＦＩＤ用アンテナとする。【選択図】  図２
2004240529.tif 000002
【特許請求の範囲】
【請求項１】
非接触でデータの送受信を行うＲＦＩＤ用アンテナであって、印刷あるいは蒸着またはエッチング方式で導電性パターンが形成された樹脂シートが、電気的に複数接続されて構成されたことを特徴とするＲＦＩＤ用アンテナ。
【請求項２】
前記導電性パターンが渦巻き状であることを特徴とする請求項１に記載のＲＦＩＤ用アンテナ。
【請求項３】
前記樹脂シートが複数枚配置され、前記導電性パターンの渦巻きが、同じ向きになるように重畳積層し、且つ、前記樹脂シートの導電性パターンが電気的に接続されていることを特徴とする請求項１または２に記載のＲＦＩＤ用アンテナ。
【請求項４】
非接触でデータの送受信を行うＲＦＩＤ用アンテナの製造方法であって、印刷あるいは蒸着またはエッチング方式で導電性パターンを樹脂シート上に形成し、前記導電性パターンを電気的に接続することを特徴とするＲＦＩＤ用アンテナの製造方法。
【請求項５】
前記導電性パターンを渦巻き状とすることを特徴とする請求項４に記載のＲＦＩＤ用アンテナの製造方法。
【請求項６】
前記樹脂シートを複数枚配置し、前記導電性パターンの渦巻きが、同じ向きになるように重畳積層し、且つ、前記樹脂シートの導電性パターンを電気的に接続することを特徴とする請求項５に記載のＲＦＩＤ用アンテナの製造方法。
【発明の詳細な説明】
【０００１】
【発明の属する技術分野】
本発明は、非接触でデータの読み出しや書き込みを行う非接触情報通信媒体に使用されるＲＦＩＤ用アンテナおよびＲＦＩＤ用アンテナの製造方法に関する。
【０００２】
【従来の技術】
従来のＲＦＩＤ用アンテナに関しては、特許文献１に平面コイルとしてアンテナを形成する方法が記載されている。従来、１２５ｋＨｚ帯の周波数を使用するＲＦＩＤでは、アンテナの自己インダクタンスを通常１００マイクロヘンリー以上に大きく設計されているために、銅線を用いて１００ターン以上巻き回した多数巻線コイルが使われている。巻線コイルは、多数回巻線するため小型化が容易ではなく、重量も重く、小型・軽量化のためには直径が０．１ミリメートル以下の細線を使用する必要があり、それゆえにＩＣへの接続方法に高度な技術を要し、また、接続部の断線不具合発生等の課題があり、製造コストが高くなる不都合があった。
【０００３】
【特許文献１】
特開２０００−１７２８１９号公報
【０００４】
【発明が解決しようとする課題】
一方、１３．５６ＭＨｚ帯の周波数を使用するＲＦＩＤでは、アンテナの自己インダクタンスは、通常、数マイクロヘンリーで設計されるため、コイルの巻回数も通常１０回以内であり、同一面上に印刷、蒸着、あるいはエッチング等で形成されたアンテナパターンを使用したものもある。しかし、前述の通り、自己インダクタンスを大きくできないことから、１２５ｋＨｚ帯を使用するＲＦＩＤでは適用できないという課題があった。
【０００５】
従って、本発明が解決しようとする課題は、小型・軽量化が容易であり、アンテナの断線等の不具合発生を解決した、且つ、安価に生産可能なＲＦＩＤ用アンテナおよびその製造方法を提供することである。
【０００６】
【課題を解決するための手段】
本発明は、送受信用アンテナとＩＣチップから成るＩＣモジュールを具備し、非接触でデータの送受信を行うＲＦＩＤのＲＦＩＤ用アンテナにおいて、送受信用アンテナを、樹脂シートを複数個用いることによって、課題を解決しようとするものである。
【０００７】
また、本発明は、上記の複数個の樹脂シートの回路間を電気的に接続し、１つのアンテナを構成することによって課題を解決しようとするものである。
【０００８】
即ち、本発明は、送受信アンテナとＩＣチップから成るＲＦＩＤモジュールを具備し、非接触でデータの送受信を行うＲＦＩＤであって、印刷あるいは蒸着またはエッチング方式で導電性パターンが形成された樹脂シートが、電気的に複数接続された構成とするＲＦＩＤ用アンテナである。
【０００９】
また、本発明は、前記導電性パターンが渦巻き状であるＲＦＩＤ用アンテナである。
【００１０】
また、本発明は、前記樹脂シートが複数枚配置され、前記導電性パターンの渦巻きが、同じ向きになるように重畳積層し、且つ、前記樹脂シートの導電性パターンが電気的接続されているＲＦＩＤ用アンテナである。
【００１１】
また、本発明は、送受信アンテナとＩＣチップから成るＲＦＩＤモジュールを具備し、非接触でデータの送受信を行うＲＦＩＤ用アンテナの製造方法であって、印刷あるいは蒸着またはエッチング方式で導電性パターンが形成された樹脂シートが、電気的に複数接続するＲＦＩＤ用アンテナの製造方法である。
【００１２】
また、本発明は、前記導電性パターンを渦巻き状とするＲＦＩＤ用アンテナの製造方法である。
【００１３】
また、本発明は、前記樹脂シートを複数枚配置し、前記導電性パターンの渦巻きが、同じ向きになるように重畳積層し、且つ、前記樹脂シートの導電性パターンを電気的に接続するＲＦＩＤ用アンテナの製造方法である。
【００１４】
【発明の実施の形態】
以下に図面を参照しながら、本発明の実施の形態のＲＦＩＤ用アンテナおよびその製造方法について詳述する。
【００１５】
図１は、本発明の実施の形態によるＲＦＩＤ用アンテナの説明図である。樹脂シート１上に導電性物質による回路２を用いて、渦巻き状に回路が形成される。
【００１６】
図２は、本発明の実施の形態による複数の樹脂シートを用いて形成したＲＦＩＤ用アンテナの説明図である。図２は、導電性物質による回路２ａ，２ｂ，２ｃが加工された樹脂シート３ａ，３ｂ，３ｃを使用してＲＦＩＤ用アンテナ４を構成する概略図である。各シートの回路同士を、導通させることにより、複数個の回路が一つの回路に形成される。
【００１７】
なお、上記において、各シート上の回路同士の接合の具体的手段としては、熱圧着によって樹脂シートを溶融し導電性材料同士が接触して導通し、複数個の回路が一つの回路に形成される。
【００１８】
また、別の接合手段としては、針状の導電性材料を貫通、固定することにより導通させることも可能である。
【００１９】
【発明の効果】
以上、本発明によれば、巻線コイルアンテナのように、形状・寸法に合わせて、高価な治具を準備する必要もなく、安価な版を準備すればよく、また、基材となる樹脂シートに厚みの薄いものを使用することにより、アンテナ全体の厚みを薄く、重量を軽減できるＲＦＩＤ用アンテナおよびその製造方法を提供できる。
【００２０】
更に、本発明によるＲＦＩＤ用アンテナおよびその製造方法は、シート状原反サイズレベルで多数個同時生産が可能であり、当然ながら生産コストの観点でもきわめて有利となる。
【００２１】
なお、本発明では、専ら四角形のシートを使用した例についてのみ説明したが、これに限らず、アンテナ機能を有する如何なる形状の類似の媒体に関しても、本発明を応用することは可能である。
【図面の簡単な説明】
【図１】本発明の実施の形態によるＲＦＩＤ用アンテナの説明図。
【図２】本発明の実施の形態による複数の樹脂シートを用いて形成したＲＦＩＤ用アンテナの説明図。
【符号の説明】
１，１ａ，１ｂ，１ｃ    樹脂シート
２，２ａ，２ｂ，２ｃ    導電性物質による回路
３，３ａ，３ｂ，３ｃ    導電性物質が加工された樹脂シート
４    ＲＦＩＤ用アンテナ
【図１】
2004240529.tif 000003
【図２】
2004240529.tif 000004